(57)【要約】      （修正有）【課題】２枚のプリント回路基板を交差するように組合せて両者の接続パターンをはんだにより電気接続した場合の接続強度が向上するようにしたプリント回路基板構造体を提供する。【解決手段】第１のプリント回路基板の挿通孔１６２に第２のプリント回路基板３０の接続片302が貫通した状態で第１および第２のプリント回路基板１６，３０の接続パターン164,304間にはんだＳを塗布して電気的な接続が行われる。このとき挿通孔162内部の接続パターン164に形成された溝部165にはんだが流入して挿通孔162内の接続パターンにも良好にはんだが付着され、はんだの被着面積が大きくなって、第１および第２のプリント回路基板１６，３０の接続強度が向上する。【選択図】図１
2008109067.tif 000002
【特許請求の範囲】
【請求項１】
挿通孔が形成された基板部、この基板部に実装された回路部品、基板部に形成された配線パターン、挿通孔の内部にスルーホール状に形成されて配線パターンの一部に接続された接続パターンおよびこの接続パターンに深さ方向に沿って形成された溝部を有する第１のプリント回路基板と；
この第１のプリント回路基板の挿通孔への挿入によって第１のプリント回路基板に対して直交方向に貫通する接続片が一端側に一体形成された基板部、この基板部に実装された回路部品、基板部に形成された配線パターン、この配線パターンの一部に接続されて接続片に形成された接続パターンを有する第２のプリント回路基板と；
を具備しており、第１のプリント回路基板の挿通孔に第２のプリント回路基板の接続片が挿入されて貫通した状態で第１および第２のプリント回路基板の接続パターン間にはんだ付けを行うことで電気的な接続が行われることを特徴とするプリント回路基板構造体。
【請求項２】
第２のプリント回路基板の接続片には貫通孔が形成されており、この接続片に形成された接続パターンがこの貫通孔の内部にスルーホール状に形成されていることを特徴とする請求項１記載のプリント回路基板構造体。
【請求項３】
第１のプリント回路基板の板厚寸法ａが第２のプリント回路基板の板厚寸法ｂよりも大きいことを特徴とする請求項１または２記載のプリント回路基板構造体。
【請求項４】
第１および第２のプリント回路基板には、一方に放電ランプ点灯回路の主回路部が、他方にこの主回路部を制御する制御回路部が配設されていることを特徴とする請求項１ないし３いずれか一記載のプリント回路基板構造体。
【請求項５】
放電ランプ点灯回路として機能する請求項４記載のプリント回路基板構造体と；
このプリント回路基板構造体を収容するケースと；
このケースの外側に設けられ、プリント回路基板構造体と電気的に接続された接続部と；
を具備していることを特徴とする放電ランプ点灯装置。
【請求項６】
請求項５記載の放電ランプ点灯装置と；
この放電ランプ点灯装置が収容された器具本体と；
この器具本体に装着された放電ランプと；
を具備していることを特徴とする照明器具。
【発明の詳細な説明】
【技術分野】
【０００１】
本発明は、２枚の回路基板を組合せて回路部品の電気接続を図ったプリント回路基板構造体およびこの構造体を備えた放電ランプ点灯装置および照明器具に関する。
【背景技術】
【０００２】
従来から、プリント回路基板の小形化や回路ユニットの共通化のために複数の回路基板を組合せて構成されたプリント回路基板構造体が知られている。複数の回路基板を３次元的に組合せると、プリント回路基板の幅寸法を抑えることができ、小形化が図れる。また、回路ユニット毎にプリント回路基板を構成し、回路ユニットの組合せを可変とすることで多品種のプリント回路基板構造体を製造することができ、回路ユニットも共通化できるためコスト的にもメリットがある。
【０００３】
プリント回路基板構造体は、各プリント回路基板に接続コネクタをそれぞれ取付け、この接続コネクタ同士を接続することで機械的に接続するようにした構成が知られている。しかし、接続コネクタを設けた場合にはコネクタの実装スペースが必要となってその分回路基板が大形化するとともに、接続コネクタの部品コストも無視できない。
【０００４】
そこで、接続コネクタを必要とせず、各プリント回路基板に形成された配線パターンの一部をはんだによって接続することで各プリント回路基板を電気的および機械的に接続した構成が知られている（特許文献１および２参照。）このプリント回路基板構造体は、２枚のプリント回路基板のうち、一方の基板に挿通溝を形成し、他方の基板に挿通溝を貫通する接続片を形成するとともに、一方の基板に挿通溝および他方の基板の接続片に接続パターンを形成して、一方の基板の挿通溝に他方の基板の接続片を貫通させたときに近接される接続パターンの間にはんだを塗布して２枚のプリント回路基板間の電気的接続を行うようにしたものである。
【特許文献１】特開平７−２７３４４４号公報
【特許文献２】特開２００６−２３７１７６号公報
【発明の開示】
【発明が解決しようとする課題】
【０００５】
しかし、上記特許文献に記載されたプリント回路基板構造体は、各プリント回路基板に形成された接続パターン同士が交差するように近接して外方へ露出する部分のみにはんだが付着されるだけであるので、はんだの付着面積が限られてしまい、十分な接続強度を確保することが困難であった。
【０００６】
本発明は、このような点に鑑みなされたもので、２枚のプリント回路基板を交差するように組合せて両者の接続パターンをはんだにより電気接続した場合の接続強度が向上するようにしたプリント回路基板構造体およびこの構造体を備えた放電ランプ点灯装置および照明器具を提供することを目的とする。
【課題を解決するための手段】
【０００７】
請求項１記載のプリント回路基板構造体は、挿通孔が形成された基板部、この基板部に実装された回路部品、基板部に形成された配線パターン、挿通孔の内部にスルーホール状に形成されて配線パターンの一部に接続された接続パターンおよびこの接続パターンに深さ方向に沿って形成された溝部を有する第１のプリント回路基板と；この第１のプリント回路基板の挿通孔への挿入によって第１のプリント回路基板に対して直交方向に貫通する接続片が一端側に一体形成された基板部、この基板部に実装された回路部品、基板部に形成された配線パターン、この配線パターンの一部に接続されて接続片に形成された接続パターンを有する第２のプリント回路基板と；を具備しており、第１のプリント回路基板の挿通孔に第２のプリント回路基板の接続片が挿入されて貫通した状態で第１および第２のプリント回路基板の接続パターン間にはんだ付けを行うことで電気的な接続が行われることを特徴とする。
【０００８】
請求項２は、請求項１記載のプリント回路基板構造体において、第２のプリント回路基板の接続片には貫通孔が形成されており、この接続片に形成された接続パターンがこの貫通孔の内部にスルーホール状に形成されていることを特徴とする。
【０００９】
請求項３は、請求項１または２記載のプリント回路基板構造体において、第１のプリント回路基板の板厚寸法ａが第２のプリント回路基板の板厚寸法ｂよりも大きいことを特徴とする。
【００１０】
請求項４は、請求項１または２記載のプリント回路基板構造体において、第１および第２のプリント回路基板には、一方に放電ランプ点灯回路の主回路部が、他方にこの主回路部を制御する制御回路部が配設されていることを特徴とする。
【００１１】
請求項５の放電ランプ点灯装置は、放電ランプ点灯回路として機能する請求項４記載のプリント回路基板構造体と；このプリント回路基板構造体を収容するケースと；このケースの外側に設けられ、プリント回路基板構造体と電気的に接続された接続部と；を具備していることを特徴とする。
【００１２】
請求項６の照明器具は、請求項５記載の放電ランプ点灯装置と；この放電ランプ点灯装置が収容された器具本体と；この器具本体に装着された放電ランプと；を具備していることを特徴とする。
【発明の効果】
【００１３】
本発明のプリント回路基板構造体は、第１のプリント回路基板の挿通孔に第２のプリント回路基板の接続片を挿入して貫通した状態で第１および第２のプリント回路基板の接続パターンにはんだ付けを行うと、挿通孔内部の接続パターンに形成された溝部にはんだが流入して挿通孔内の接続パターンにも良好にはんだが付着される。これにより、はんだの被着面積が大きくなり、第１および第２のプリント回路基板の接続強度を向上させることができる。
【００１４】
また、第２のプリント回路基板の接続片に貫通孔を形成すると、この貫通孔にもはんだが流入してはんだの被着面積がさらに大きくなり、第１および第２のプリント回路基板の接続強度をより一層向上させることができる。
【００１５】
さらに、第１のプリント回路基板の板厚寸法ａが第２のプリント回路基板の板厚寸法ｂよりも大きいので、第１のプリント回路基板の横方向および縦方向の線膨張率と第２のプリント回路基板との線膨張率の差を小さくすることが可能となり、熱膨張によってはんだ接続部にかかるストレスを軽減させることができる。
【００１６】
さらにまた、第１および第２のプリント回路基板には、一方に放電ランプ点灯回路の主回路部を、他方にこの主回路部を制御する制御回路部を配設することによって、ノイズが発生しやすく、発熱量が大きい放電ランプ点灯回路の主回路部から弱電系の電子回路から構成されている制御回路部を離間させることができるので、ノイズや熱の影響を軽減することができる。
【発明を実施するための最良の形態】
【００１７】
以下、本発明の一実施の形態を図面を参照して説明する。
【００１８】
図１および図２に本発明の第１の実施形態であるプリント回路基板構造体を示す。図１（ａ）はプリント回路基板構造体の要部を示す一部切欠き斜視図、図１（ｂ）は第１のプリント回路基板の要部を拡大した一部切欠き斜視図、図２はプリント回路基板構造体の接続パターンの断面図をそれぞれ示す。
【００１９】
第１のプリント回路基板１６は、厚さ約1.6mmの平板状のプリント配線基板部161を有し、この基板部161の所望の位置に表裏面を貫通する挿通孔162が長さ60mm、幅1.8mmの寸法で形成されている。基板部161には、半導体スイッチやコイルインダクタ、コンデンサなどの図示しない回路部品が実装されており、この回路部品を接続する配線パターン163が基板部の少なくとも一面側に形成されている。
【００２０】
挿通孔162の内部には、スルーホール状に形成されて配線パターン163に接続された接続パターン164が形成されている。接続パターン164には、挿通孔162の貫通深さ方向に沿って接続パターン164のほぼ中央に基板部161の表裏面を貫通するように連続して形成された溝部165が形成されている。
【００２１】
なお、本実施形態においては、接続パターン164および溝部165が挿通孔162の内側で対向する一対の辺縁面のそれぞれに形成されているが、どちらか一方の辺縁面のみに接続パターン164および溝部165が形成されたものであってもよい。しかし、はんだによる接続強度を高くするためには、本実施形態のように一対の辺縁面の両者に接続パターン164および溝部165を形成するのが好ましい。
【００２２】
第２のプリント回路基板３０は、厚さ約1.6mmの平板状のプリント配線基板部301を有し、この基板部301の一端側（下端縁）から一体的に突出する接続片302が形成されている。この接続片302の幅寸法は約60mmであり、基板部301の一端側からの突出長は約7mmである。接続片302は、第１のプリント回路基板１６の挿通孔162への挿入によって第１のプリント回路基板１６に対して直交方向に貫通する。
【００２３】
第２のプリント回路基板３０の基板部301には、半導体集積回路３０aや抵抗、チップコンデンサなどの面実装タイプの回路部品が実装されており、この回路部品を接続する配線パターン303が基板部301の少なくとも一面側に形成されている。
【００２４】
第２のプリント回路基板３０の接続片302には、配線パターン303に接続された接続パターン304が形成されている。この配線パターン304は、接続片302が第１のプリント回路基板１６の挿通孔162へ貫通したときに、第１のプリント回路基板１６の接続パターン164と同じ位置に配置されるように形成されている。この接続パターン304のほぼ中央部分には、接続片302の厚み方向に貫通する貫通孔としてのスルーホール305が形成されており、このスルーホール305の内面にも接続パターン304が連続的に形成されている。
【００２５】
次に、本実施形態の作用について説明する。第１のプリント回路基板１６の挿通孔162には、第２のプリント回路基板３０の接続片302が挿入され、貫通した状態で第１および第２のプリント回路基板の接続パターン164、304のそれぞれにはんだＳを被着して、電気的、機械的な接続が行われる。このとき、挿通孔162内部の接続パターン164に形成された溝部165にはんだＳが流入し、挿通孔162内の接続パターンにも良好にはんだＳが付着される。したがって、はんだＳの被着面積が大きくなり、第１および第２のプリント回路基板１６，３０の接続強度を向上させることができる。
【００２６】
また、第２のプリント回路基板３０の接続片302に貫通孔としてのスルーホール305が形成されているので、このスルーホール305にもはんだＳが流入することにより、はんだＳの被着面積がさらに大きくなり、第１および第２のプリント回路基板１６、３０の接続強度をより一層向上させることができる。
【００２７】
さらに、第１および第２のプリント回路基板には、一方に放電ランプ点灯回路の主回路部を、他方にこの主回路部を制御する制御回路部を配設することによって、ノイズが発生しやすく、発熱量が大きい放電ランプ点灯回路の主回路部から弱電系の電子回路から構成されている制御回路部を離間させることができるので、ノイズや熱の影響を軽減することができる。
【００２８】
次に、本発明の第２の実施形態を説明する。図３および図４は、第２の実施形態を示し、図３は放電ランプ用点灯装置の概略分解斜視図、図４は図３のＩＩＩ−ＩＩＩ線断面図である。
【００２９】
放電ランプ用点灯装置１は、ケース２、点灯装置本体３、防水パッキン４および端板５を有して構成されている。ケース２は、例えばアルミニウム（Ａｌ）等の導電性金属材料により押し出し成形されたケース本体６およびケース蓋体７からなっている。ケース本体６は、両端側に開口８，８、上部に長手方向に沿う開口９および中空を有する断面略コ字状に形成され、上部端面に長手方向に沿って凹溝１０，１０が形成されているとともに、外面６ａに長手方向に沿って複数の放熱フィン１１が形成されている。
【００３０】
また、ケース蓋体７は、断面略円弧状に形成され、長手方向両端部にケース本体６の凹溝１０，１０に嵌入される凸部１２，１２が長手方向に沿って形成されているとともに、内面７ｂに長手方向に沿って内部フィン１３がそれぞれ複数形成されている。内部フィン１３は、表面積が広くなるように長方形状に形成され、ケース蓋体７の内面７ｂからケース２の内部に突出している。
【００３１】
そして、ケース本体６の凹溝１０，１０にケース蓋体７の凸部１２，１２が嵌入したときに、ケース本体６およびケース蓋体７は一体化されて、角筒状のケース２が形成される。このとき、凹溝１０および凸部１２の箇所からケース２内に雨水や湿気が侵入しないように、凹溝１０および凸部１２の間が隙間なく形成されている。そして、ケース本体６の外面６ａおよび内面６ｂとケース蓋体７の外面７ａおよび内面７ｂは、それぞれ防錆のためのアルマイト１５が形成されており、このアルマイト１５により黒色に着色されている。
【００３２】
点灯装置本体３は、回路基板１６およびこの回路基板１６に実装された放電ランプを高周波点灯させる点灯回路１７の電子部品および回路部品等を備えて形成されている。例えば、電界効果トランジスタ（ＦＥＴ）、ダイオード、ノイズフィルタ用のコンデンサおよびインダクタ、全波整流器、平滑用コンデンサ、突入電流防止用の抵抗またはインダクタ、チョークバラスト、直流カット用コンデンサ、共振用コンデンサ、共振用インダクタ、トランスおよびサイリスタ等のスイッチング素子などを備えている。
【００３３】
第１のプリント回路基板１６は長方形状の例えばガラスエポキシ材やポリブチレンテレフタレート（ＰＢＴ）材などからなり、ケース本体６の内面６ｂに設けられた凹溝１８に挿入されている。凹溝１８の両端部は、ケース２の両端側の開口８，８に臨んで開口している。第１のプリント回路基板１６は、ケース２の開口８，８のいずれか一方側から凹溝１８に挿入される。点灯回路１７は、放電ランプを高周波点灯させる周知の回路で形成されている。そして、放電ランプを点灯させているとき、点灯回路１７の電子部品および回路部品等は発熱する。この発熱によりケース２の内部温度が上昇する。
【００３４】
防水パッキン４，４は、ケース２の長手方向と直交する断面の略外形の大きさに形成され、ケース２の開口８，８において、端板５，５によりケース２の端面６ｃ，７ｃに密着される。これにより、ケース２の内部に水分や湿気が侵入しにくくなる。また、回路基板１６の両端部が凹溝１８の両端部に位置するようになり、第１のプリント回路基板１６は、凹溝１８での移動が制限され、ほとんど移動しなくなるか、移動範囲が小さくなる。こうして、点灯装置本体３は、ケース２に収納されている。
【００３５】
そして、端板５，５は、防水パッキン４，４と略同一の大きさに形成され、防水パッキン４，４を介してケース２の両端側の端面６ｃ，７ｃに開口８，８を閉塞するようにそれぞれ配設される。すなわち、ケース２には、端面６ｃ，７ｃに臨むねじ部１９が複数設けられており、ねじ２０が端板５，５に形成された複数の孔２１をそれぞれ挿通し、防水パッキン４，４のねじ貫通部２２を貫通して、ねじ部１９に螺着される。これにより、ケース２は、防水形に形成される。
【００３６】
そして、一方の端板５には挿通孔２３，２３が形成され、一方の防水パッキン４にはリード線貫通部２４，２４が形成されている。そして、点灯装置本体３の入力端子に接続されていて、外部電源に接続される図示しない入力リード線、点灯装置本体３の出力端子に接続されていて、放電ランプの電極側に接続される図示しない出力リード線および図示しないアース線が防水パッキン４のリード線貫通部２４，２４を貫通し、端板５の挿通孔２３，２３から外部に引き出されている。
【００３７】
点灯回路１７は、複数のＦＥＴ１４，１４，…や高圧トランス２９ａ、電解コンデンサ２９ｂ等を備え、比較的大電流が流れ、発熱量が多い大電流回路部２９と、ＩＣ（集積回路）３０ａや抵抗、コンデンサ、小信号トランジスタ等を備えた第２のプリント配線基板３０に配設された制御回路部を具備しており、これら大電流回路部２９と第２のプリント配線基板３０の制御回路部とは、ケース２内の短手方向両側にそれぞれ区分して配設し、かつケース２の長手方向に沿って並設されている。
【００３８】
複数のＦＥＴ１４，１４からなるスイッチング素子等の発熱部品１７ｃは、アルミニウム製等の放熱板３１に取付用ねじ３２により取り付けられている。放熱板３１は、ケース２の内面６ｂの一側面の内側にて、ケース２の長手方向に延在し、長手方向に長い細長形状の平板により形成されており、放熱板３１とケース２の内側面との間には所要の間隙ｇが形成されている。
【００３９】
ケース２は、その内面６ｂの一側面６ｂには、その横方向内方へ突出する角柱状の凸部２ａ，２ｂをそれぞれ一体に突設しており、これら凸部２ａ，２ｂの内端に放熱板３１の一側面を当接させている。各凸部２ａ，２ｂは図３中上下方向に所要大の間隙２ｂを置いてケース２の長手方向のほぼ全長に亘って形成されている。この間隙２ｂにはＦＥＴ１４やトランジスタ等の発熱部品１７ｃを放熱板３１に取り付ける取付ねじ３２の軸先端部３２ａが突出し、このねじ軸先端部３２ａと凸部２ａが干渉しないようになっている。
【００４０】
また、放熱板３１は図３中、上下方向に所要の間隔を置いてケース２に配設された放熱板固定ねじ３３，３３によりケース２に固定されている。各固定ねじ３３はケース２の図３中右側面の外面６ａからこのケース２の図３中右側面の挿通孔２ｃ，２ｃを挿通して、放熱板３１に形成されたねじ穴（雌ねじ）３１ａにねじ込まれて放熱板３１をケース２の凸部２ａ，２ｂ上に固定している。これら上下一対の放熱板固定ねじ３３，３３はケース２の長手方向に所要の間隔を置いて複数対配設されている。
【００４１】
点灯装置本体３の入力端子２７ａ，２７ｂに入力線２７を介して外部電源が供給されると、点灯回路１７が動作し、出力端子２８ａ，２８ｂから高周波電圧が出力される。この高周波電圧が図示しない放電ランプの電極間に印加され、放電ランプが点灯する。
【００４２】
図５は、本発明の第３の実施形態であるプリント回路基板構造体の要部を示す一部切欠き斜視図である。なお、図１の実施形態と同一部分には同一符号を付し、その詳細な説明は省略する。
【００４３】
第３の実施形態のプリント回路基板構造体は、第１の実施形態と比較して、第１のプリント回路基板１６の板厚寸法ａと第２のプリント回路基板３０の板厚寸法ｂとが異なっている点が相違している。
【００４４】
すなわち、第３の実施形態のプリント回路基板構造体では、第１のプリント回路基板１６の平板状プリント配線基板部161の板厚寸法ａは約1.6mmであるのに対し、第２のプリント回路基板３０の基板部301の板厚寸法ｂは約0.8mmであって、ａ＝２ｂの関係となっている。半導体集積回路３０aや抵抗、チップコンデンサなどの面実装タイプの回路部品が実装されており、この回路部品を接続する配線パターン303が基板部301の少なくとも一面側に形成されている。
【００４５】
一般的にプリント回路基板の線膨張率は、平面方向（縦および横方向）と厚さ方向とでは厚さ方向の方が２倍以上大きい。また、プリント回路基板の板厚寸法が大きくなるほど膨張度合いが大きくなる。このため、挿入孔162が形成された第１のプリント回路基板１６が挿入孔162に挿入固定された第２のプリント回路基板３０の厚さ方向の熱膨張によって受ける応力は大きい。この応力が大きいと、はんだ接続部にかかるストレスによってはんだ接続部にクラックが発生し、電気的または機械的な接続が低下するおそれがある。
【００４６】
このため、第２のプリント回路基板３０の板厚寸法ｂを小さくし、熱膨張の度合いを極力小さくすることによってはんだ接続部にクラックが発生を軽減することが可能となる。この効果を得るには、板厚寸法ａおよびｂの関係を、０．３≦ｂ／ａ≦０．８の範囲とするのが好ましい。
【００４７】
本実施形態のプリント回路基板構造体によれば、第１のプリント回路基板１６の板厚寸法ａが第２のプリント回路基板３０の板厚寸法ｂよりも大きく形成されているので、熱膨張によってはんだ接続部にかかるストレスを軽減させることが可能となり、ヒートサイクルが多い使用条件であってもはんだ接続部の強度が低下しにくくなる。また、第１のプリント回路基板１６の挿入孔162をスルーホール状に形成しなくても電気接続を図ることも可能となるので、安価な基板実装方法を採用することも可能となる。
【００４８】
図６は、本発明の第４の実施形態を示す。図５は段付ポールに取り付けられた状態の照明器具の外観図である。照明器具３８は、街路灯である。街路灯３８は、器具本体としての街路灯本体３９がジョインターアーム４０を介して中空の段付ポール４１に取り付けられている。そして、段付ポール４１は、地中４２に一部埋設されたコンクリート基礎４３に立設されている。
【００４９】
段付ポール４１は、開閉蓋４４の部位の内部に図２に示す放電ランプ用点灯装置１または放電ランプ用点灯装置２５Ａ〜２５Ｄのいずれかが収納されている。そして、電源用穴４５を介して外部より図示しない電源線およびアース線が導入され、段付ポール４１内において、放電ランプ用点灯装置１から導出されている入力線２７およびアース線にそれぞれ接続されている。そして、放電ランプ用点灯装置１の出力線２８が街路灯本体３９に配線されている。
【００５０】
街路灯本体３９は、下面に開口を有する略箱状に形成されており、ソケット台４６、ランプソケット４７、放電ランプとしての高圧放電ランプ４８および反射板４９などを配設している。ランプソケット４７は、放電ランプ用点灯装置１の出力線２８と接続されている。高圧放電ランプ４８は、例えばメタルハライドランプが用いられている。
【００５１】
そして、放電ランプ用点灯装置１に入力線２７（電源線）を介して外部電源が投入されると、メタルハライドランプ４８が点灯する。メタルハライドランプ４８より放射された直接光および反射板４９で放射された反射光は、街路灯本体３９の開口から路面に出射される。こうして、街路灯３８は、路面を照明する。
【００５２】
放電ランプ用点灯装置１によりメタルハライドランプ４８が点灯されると、放電ランプ用点灯装置１の点灯装置本体３に発生した熱がケース２から段付ポール４１の内部空間に放熱される。そして、当該熱は、段付ポール４１に伝熱して、段付ポール４１から大気中に放熱される。
【図面の簡単な説明】
【００５３】
【図１】本発明の第１の実施形態のプリント回路基板構造体を示し、（ａ）はプリント回路基板構造体の要部を示す一部切欠き斜視図、（ｂ）は第１のプリント回路基板の要部を拡大した一部切欠き斜視図。
【図２】図１のプリント回路基板構造体の接続パターンの断面図。
【図３】本発明の第２の実施形態である放電ランプ用点灯装置の概略分解斜視図。
【図４】図３のＩＩＩ−ＩＩＩ線断面図。
【図５】本発明の第３の実施形態のプリント回路基板構造体を示す一部切欠き斜視図。
【図６】本発明の第４の実施形態である照明器具の外観図。
【符号の説明】
【００５４】
１６・・・第１のプリント回路基板、162・・・挿通孔、161・・・基板部、163・・・配線パターン、164接続パターン、165・・・溝部、３０・・・第２のプリント回路基板、302・・・接続片、301・・・基板部、303・・・配線パターン、304・・・接続パターン、305・・・貫通孔としてのスルーホール、Ｓ・・・はんだ。
【図１】
2008109067.tif 000003
【図２】
2008109067.tif 000004
【図３】
2008109067.tif 000005
【図４】
2008109067.tif 000006
【図５】
2008109067.tif 000007
【図６】
2008109067.tif 000008